(57)【特許請求の範囲】
【請求項１】
開口部を有する収納庫本体と、収納庫本体に取り付けられて開口部を開閉する開閉扉とを備えた収納庫において、開閉扉は、送風路と、送風路の上流側に連通して庫内に面する庫内用吸入口と、送風路の下流側に連通して庫外に面する庫外用吐出口と、送風路の上流側に連通して庫外に面する庫外用吸入口と、送風路の下流側に連通して庫内に面する庫内用吐出口と、送風路に配置した送風機と、送風路に配置した環境悪化物質用吸着装置とを備えたことを特徴とする収納庫。
【請求項２】
開口部を有する収納庫本体と、収納庫本体に取り付けられて開口部を開閉する開閉扉とを備え、開閉扉が閉状態のときに開閉扉と収納庫本体の開口部との間に庫内と庫外とを連通する隙間が存在する収納庫において、開閉扉は、送風路と、送風路の上流側に連通して庫内に面する庫内用吸入口と、送風路の下流側に連通して庫外に面する庫外用吐出口と、送風路に配置した送風機と、送風路に配置した環境悪化物質用吸着装置とを備えたことを特徴とする収納庫。
【請求項３】
開口部を有する収納庫本体と、収納庫本体に取り付けられて開口部を開閉する開閉扉とを備えた収納庫において、開閉扉は、庫内と庫外とを連通する給気路と、給気路と分離した送風路と、送風路の上流側に連通して庫内に面する庫内用吸入口と、送風路の下流側に連通して庫外に面する庫外用吐出口と、送風路に配置した送風機と、送風路に配置した環境悪化物質用吸着装置とを備えたことを特徴とする収納庫。
【請求項４】
開口部を有する収納庫本体と、収納庫本体に取り付けられて開口部を開閉する開閉扉とを備えた収納庫において、収納庫本体は庫内と庫外とを連通する給気路を備え、開閉扉は、送風路と、送風路の上流側に連通して庫内に面する庫内用吸入口と、送風路の下流側に連通して庫外に面する庫外用吐出口と、送風路に配置した送風機と、送風路に配置した環境悪化物質用吸着装置とを備えたことを特徴とする収納庫。
【請求項５】
庫外用吸入口及び／又は庫外用吐出口を通過する風量を調節する風量調節具を配設した請求項１記載の収納庫。
【請求項６】
庫内用吸入口及び／又は庫内用吐出口を通過する風量を調節する風量調節具を配設した請求項１又は５に記載の収納庫。
【発明の詳細な説明】
【技術分野】
【０００１】
本発明は、収納庫の庫内の換気及び空気清浄化が可能な収納庫に関するものである。
【背景技術】
【０００２】
従来、庫内の換気が可能なキッチン用収納庫としては、特許文献１に提案されているものがある。このキッチン用収納庫は、組み込まれた温風ヒータで庫内空気を庫外に吐出することによって庫内を換気するものである。
【特許文献１】実開平５−４３９３８号公報
【発明の開示】
【発明が解決しようとする課題】
【０００３】
しかし、前記キッチン用収納庫で庫内を換気をすると、キッチン用収納庫を構成する材料（合板等）に用いられている接着剤等から揮発するＶＯＣ（揮発性有機化合物）や、庫内に収納した食品等の発する臭気等の環境悪化物質が庫外へ吐出され、収納庫を配備してある部屋の環境を悪化することがあると考えられる。
【０００４】
本発明は、上記問題を解決するために、環境悪化物質を庫外に吐出しないようにして収納庫の庫内の換気及び空気清浄化ができる収納庫を提供することを目的とするものである。
【課題を解決するための手段】
【０００５】
上記目的達成のために請求項１記載の発明が採用した手段は、開口部を有する収納庫本体と、収納庫本体に取り付けられて開口部を開閉する開閉扉とを備えた収納庫において、開閉扉は、送風路と、送風路の上流側に連通して庫内に面する庫内用吸入口と、送風路の下流側に連通して庫外に面する庫外用吐出口と、送風路の上流側に連通して庫外に面する庫外用吸入口と、送風路の下流側に連通して庫内に面する庫内用吐出口と、送風路に配置した送風機と、送風路に配置した環境悪化物質用吸着装置とを備えたことを特徴とする収納庫である。
【０００６】
上記収納庫は、送風機を起動させると、庫内の空気及び庫外の空気が、対応する吸入口から送風路の上流側に流入し、送風機及び環境悪化物質用吸着装置を通過して送風路の下流側へ移動した後、各吐出口を経て庫内と庫外とへ分配するように吐出する。送風路へ流入した庫内や庫外の空気は環境悪化物質用吸着装置を通過するときに含まれている環境悪化物質が吸着除去されて、清浄な空気として庫外及び庫内に吐出される。庫内は、庫外の空気の混合したものが吐出されるので、換気されることになり、湿度調節が行われることになる。
【０００７】
上記目的達成のために請求項２記載の発明が採用した手段は、開口部を有する収納庫本体と、収納庫本体に取り付けられて開口部を開閉する開閉扉とを備え、開閉扉が閉状態のときに開閉扉と収納庫本体の開口部との間に庫内と庫外とを連通する隙間が存在する収納庫において、開閉扉は、送風路と、送風路の上流側に連通して庫内に面する庫内用吸入口と、送風路の下流側に連通して庫外に面する庫外用吐出口と、送風路に配置した送風機と、送風路に配置した環境悪化物質用吸着装置とを備えたことを特徴とする収納庫である。
【０００８】
上記収納庫は、送風機を起動させると、庫内の空気が、庫内用吸入口から送風路の上流側に流入し、送風機及び環境悪化物質用吸着装置を通過して送風路の下流側へ移動した後、庫外用吐出口を経て庫外へ吐出する。この際に収納庫は、庫外に吐出した空気と同量の空気が隙間を通じて庫内に供給され、換気によって庫内の湿度調節が行われる。送風路へ流入した庫内の空気は、環境悪化物質用吸着装置を通過するときに含まれている環境悪化物質が吸着除去されて、清浄な空気として庫外に吐出される。
【０００９】
上記目的達成のために請求項３記載の発明が採用した手段は、開口部を有する収納庫本体と、収納庫本体に取り付けられて開口部を開閉する開閉扉とを備えた収納庫において、開閉扉は、庫内と庫外とを連通する給気路と、給気路と分離した送風路と、送風路の上流側に連通して庫内に面する庫内用吸入口と、送風路の下流側に連通して庫外に面する庫外用吐出口と、送風路に配置した送風機と、送風路に配置した環境悪化物質用吸着装置とを備えたことを特徴とする収納庫である。
【００１０】
上記収納庫は、送風機を起動させると、庫内の空気が、庫内用吸入口から送風路の上流側に流入し、送風機及び環境悪化物質用吸着装置を通過して送風路の下流側へ移動した後、庫外用吐出口を経て庫外へ吐出する。この際に収納庫は、庫外に吐出した空気と同量の空気が給気路を通じて庫内に供給され換気によって庫内の湿度調節が行われる。送風路へ流入した庫内の空気は、環境悪化物質用吸着装置を通過するときに含まれている環境悪化物質が吸着除去されて、清浄な空気として庫外に吐出される。
【００１１】
上記目的達成のために請求項４記載の発明が採用した手段は、開口部を有する収納庫本体と、収納庫本体に取り付けられて開口部を開閉する開閉扉とを備えた収納庫において、収納庫本体は庫内と庫外とを連通する給気路を備え、開閉扉は、送風路と、送風路の上流側に連通して庫内に面する庫内用吸入口と、送風路の下流側に連通して庫外に面する庫外用吐出口と、送風路に配置した送風機と、送風路に配置した環境悪化物質用吸着装置とを備えたことを特徴とする収納庫である。
【００１２】
上記収納庫は、送風機を起動させると、庫内の空気が、庫内用吸入口から送風路の上流側に流入し、送風機及び環境悪化物質用吸着装置を通過して送風路の下流側へ移動した後、庫外用吐出口を経て庫外へ吐出する。この際に収納庫は、庫外に吐出した空気と同量の空気が給気路を通じて庫内に供給され、換気によって庫内の湿度調節が行われる。送風路へ流入した庫内の空気は、環境悪化物質用吸着装置を通過するときに含まれている環境悪化物質が吸着除去されて、清浄な空気として庫外に吐出される。
【００１３】
庫外へ排出する風量の調節をするために請求項５記載の発明が採用した手段は、庫外用吸入口及び／又は庫外用吐出口を通過する風量を調節する風量調節具を配設した請求項１記載の収納庫である。
【００１４】
庫内へ供給する風量の調節をするために請求項６記載の発明が採用した手段は、庫内用吸入口及び／又は庫内用吐出口を通過する風量を調節する風量調節具を配設した請求項１又は５に記載の収納庫である。
【発明の効果】
【００１５】
請求項１乃至４に係る収納庫は、下記の３つの効果を奏する。
（１）庫内から庫外に吐出する環境悪化物質が減少する。
（２）庫外の空気が庫内の空気に比べて低湿度の場合には、換気に併せて庫内の除湿が行われることになる。
（３）収納庫本体に送風機及び環境悪化物質用吸着装置の配置スペースを設ける必要がなく、収納庫内の収納スペースを広く利用できる。
【００１６】
更に、請求項２に係る収納庫は、庫外の空気を庫内へ導くための給気路を開閉扉や収納庫本体に形成する必要がない。
【００１７】
請求項５に係る収納庫は、庫外へ排出する風量を調節できる。また、請求項６に係る収納庫は、庫内へ供給する風量を調節できる。
【発明を実施するための最良の形態】
【００１８】
本発明に係る収納庫（以下、「本発明収納庫」と言う。）を図面に示す実施の形態に基づいて説明する。
【００１９】
図１は実施形態の異なる複数個の本発明収納庫を備えた厨房家具１を示す斜視図である。厨房家具１は、ワークトップ２と、ワークトップ２を支持するキャビネット３と、ワークトップ２に設けたシンク４及び加熱調理器５と、複数個の本発明収納庫６とを備える。
【００２０】
本発明収納庫６には、据え置き方式のもの７や、吊り方式のもの８があり、前者には、片開きタイプの収納庫７Ａと、両開きタイプの収納庫７Ｂと、引出しタイプの収納庫７Ｃ−１，７Ｃ−２とがあり、後者には、片開きタイプの収納庫８Ａと、両開きタイプの収納庫８Ｂとがある。本発明収納庫６は、キッチン用以外に、リビングやトイレ等に備えた収納庫や、洗面所に備えた収納付き洗面化粧台や、玄関に備えた靴箱等に適用することも可能である。
【００２１】
（第１の実施の形態）
図２乃至図５は第１の実施の形態の本発明収納庫１０を示すものであり、図２は本発明収納庫１０の斜視図、図３は本発明収納庫１０の開閉扉１２の正面断面図、図４は開閉扉１２が閉状態の側面断面図、図５は開閉扉１２に備えた風量調節具１９の背面側を示す正面図である。
【００２２】
本発明収納庫１０は、前記据え置き方式で片開きタイプの収納庫７Ａ（図１参照）や吊り方式で片開きタイプの収納庫８Ａに適用されるものであって、収納庫本体１１と、収納庫本体１１に取り付けた開閉扉１２とから構成されている。収納庫本体１１は、左右の側板１１ａ、１１ｂの縁部どうしを天板１１ｃ、底板１１ｄ及び背板１１ｅで連結したものであり、庫内Ｉの手前側を開口部１３してある。
【００２３】
上記開閉扉１２は、この収納庫本体１１の開口部１３を開閉するためのものであり、閉状態のとき収納庫本体１１の収納スペースである奥側の庫内Ｉと手前外側の庫外Ｏとを隔て、開状態のとき開口部１３を介して庫内Ｉから庫外Ｏへ収納物を出し入れできるようにしている。開閉扉１２の構造は、前板１２ｅ及び背板１２ｆの周縁部どうしを、左右の側板１２ａ、１２ｂ、上板１２ｃ及び下板１２ｄからなる枠板で連結して、内部に形成した空洞スペースを送風路Ｘとして用いている。送風路Ｘは、仕切板２１を設けて、吸入口１８ａ，１８ｃのある上流側となる上流域と、送風機１５の設置域と、環境悪化物質用吸着装置１６の設置域と、吐出口１８ｂ，１８ｄのある下流側となる下流域とに区画してある。開閉扉１２は、送風路Ｘに設置した送風機１５で上流域から下流側へ送風すると共に、送風路Ｘに設置した環境悪化物質用吸着装置１６で送風中の空気からＶＯＣや臭気を吸着して除去するようにしてある。
【００２４】
前記開閉扉１２は、内部の空洞スペースに送風路Ｘを形成するものに限定されず、図示は省略したが、上下板１２ｃ、１２ｄ及び背板１２ｆを省略して前板１２ｅの背面側に別体のケーシングを取付け、ケーシングの内部に送風路Ｘの上流域と、送風機１５の設置域と、環境悪化物質用吸着装置１６の設置域と、送風路Ｘの下流域とを形成する態様も可能である。
【００２５】
なお、開閉扉１２は、前板１２ｅに取手１７を取付けて、開閉操作がし易くなっている。また、開閉扉１２は、蝶番１４（図４参照）を介して収納庫本体１１に取付けられ、蝶番１４を取付けるネジを付け外しすることで着脱して点検又は交換できるようになっている。
【００２６】
前記開閉扉１２は、前板１２ｅ及び背板１２ｆに、送風路Ｘの上流域に通じる庫内用吸入口１８ａ及び庫外用吸入口１８ｃと、送風路Ｘの下流域に通じる庫内用吐出口１８ｄ及び庫外用吐出口１８ｂが開設されている。開閉扉１２は、庫内Ｉ手前側の開口部１３を閉じた状態で送風機１５を起動することで、庫内Ｉ及び庫外Ｏの空気を両吸引口１８ａ，１８ｃから送風路Ｘの上流域へ取り入れ、環境悪化物質用吸着装置１６で臭気等を除去した清浄空気を送風路Ｘの下流側から両吐出口１８ｄ，１８ｂを通じて庫内Ｉ及び庫外Ｏへ吐出させ、庫内Ｉの換気及び庫内Ｉの空気清浄とを行い、清浄空気を庫外Ｏへ吐出するようにしてある。
【００２７】
上記庫内用吸入口１８ａと庫内用吐出口１８ｄとは、離して開設されており、吐出口１８ｄから吐出した空気が吸入口１８ａへ向かって流れる距離を長くすることで、庫内Ｉを広範囲に換気できるようにしてある。また同様に、庫外用吐出口１８ｂと庫外用吸入口１８ｃとは、離して開設されており、吐出口１８ｂから吐出した清浄空気を、吸入口１８ｃへ吸引させ難く又は吸引させないようにして庫外Ｏの広範囲へ放散できるようにしてある。
【００２８】
前記送風機１５は、図３に示す如く、ケーシング１５ｃに内蔵した回転羽根１５ｂと、モータ１５ａとを備え、本例では遠心式を採用しているが、軸流式（プロペラ式）を用いても良い。なお、送風機１５は、その全部が開閉扉１２内部の空洞スペースに収納しきれないときには、開閉扉１２の前板１２ｅ又は背板１２ｆの一部を突出させればよい。送風機１５のモータ１５ａの電源としては、交流電源を降圧整流したもの又は乾電池の他に、下記に示す発電装置等が考えられる。
【００２９】
上記の発電装置としては、開閉扉１２の前板１２ｅの手前側に取り付けた太陽電池で得た電気又は給排水管の水流を利用した発電機で作られた電気を蓄える蓄電器の態様が考えられる。この態様では、蓄電器に電気エネルギーが逐次給電されるので、交換を要する乾電池に比べメンテンナンスが非常に楽にできる。
【００３０】
前記環境悪化物質用吸着装置１６は、通気性を有する収納器内に活性炭やシリカゲル等の吸着剤が充填され、収納器内を通過する空気から環境悪化物質を吸着して除去するようにしている。この環境悪化物質用吸着装置１６は、開閉扉１２の側板１２ａに設けられた挿入口２０から送風路Ｘに着脱自在に挿着され、交換作業が容易となっている。
【００３１】
前記環境悪化物質用吸着装置１６は、送風路Ｘにおける配置が、本例では送風機１５より下流側（図３及び図４参照）となっているが、これに限定するものではなく、送風機１５より上流側とすることも可能である。また、本例では、送風機１５と環境悪化物質用吸着装置１６とを上下方向に配置した態様を例示しているが、これらを左右方向に配置しても良い。
【００３２】
前記庫内用吸入口１８ａ、庫外用吐出口１８ｂ、庫外用吸入口１８ｃ及び庫内用吐出口１８ｄには、それぞれ、風量調節具１９が配設されている。風量調節具１９は、図２及び図４に示す摺動調節できる長方形の調節板と、図４及び図５に示す揺動調節できる円形の調節板とがある。これら調節板は、突出部１９ａを指で摘んで移動することで、前記吸入口・吐出口１８ａ〜１８ｄの開度を調節できるようになっている。庫内Ｉヘ供給する風量と庫外Ｏへ排出する風量との割合の調節は、前記４つの風量調節具のうちいずれか１つの調節で行うことができるので、風量調節具１９を配設する箇所としては、吸入口１８ａ，１８ｃ及び吐出口１８ｂ，１８ｄのいずれか一箇所であってもよい。
【００３３】
続いて、本発明収納庫１０の送風動作を説明する。先ず、送風機１５を起動させると、庫内Ｉの空気及び庫外Ｏの空気が対応する吸入口１８ａ，１８ｃから送風路Ｘの上流側に流入する。送風路Ｘの上流側に流入した空気は、送風機１５及び環境悪化物質用吸着装置１６を通過して送風路Ｘの下流側へ移動した後、各吐出口１８ｄ，１８ｂを経て庫内Ｉと庫外Ｏとへ分配されて吐出する。送風路Ｘへ流入した庫内Ｉや庫外Ｏの空気は、含まれている環境悪化物質が環境悪化物質用吸着装置１６を通過するときに吸着除去されて、清浄な空気として庫外Ｏ及び庫内Ｉに吐出される。庫内Ｉは、送風路Ｘへ流入した庫外Ｏと庫内Ｉの混合した空気が吐出されるので、換気されることになり、湿度調節が行われることになる。
【００３４】
前述の如く、本発明収納庫１０は、開閉扉１２に換気及び空気清浄を行う送風機１５及び環境悪化物質用吸着装置１６を備えているので、開閉扉１２を収納庫本体１１に取り付けるだけで換気及び空気清浄の機能を得ることができ、送風機１５及び環境悪化物質用吸着装置１６の点検や交換を行うとき、開閉扉１２ごと着脱すると便利である。又、本発明収納庫１０は、開閉扉１２に庫外用吸入口１８ｃ及び庫外用吐出口１８ｂが形成されるので、例え壁際や部屋角隅に収納庫本体１１を配置して収納庫本体１１の側板１１ａ及び１１ｂ、天板１１ｃ、底板１１ｄや背板１１ｅが壁に覆われたとしても、庫外用吸入口１８ｃ及び庫外用吐出口１８ｂが塞がることがなく、自由に配置できる。本発明収納庫１０は、送風機１５を電気ヒータ（図示省略）と組み合わせた温風ヒータとすることもある。この場合には、電気ヒータを環境悪化物質吸着装置１６より下流側に配置して、温風を１８ｂから庫外Ｏへ吐出するように構成することが好ましい。
【００３５】
なお、両開きタイプの収納庫７Ｂ，８Ｂ（図１参照）の本発明収納庫１０に適用する場合には、前記開閉扉１２を二枚設けるか、いずれか一方の扉を前記開閉扉１２とするとよい。
【００３６】
（第２の実施の形態）
図６は、第２の実施の形態の本発明収納庫３０を示すものであり、開閉扉１２が閉状態の側面断面図である。
【００３７】
本実施の形態に係る本発明収納庫３０が第１の実施の形態の本発明収納庫１０（図２〜図５参照）と大きく相違する点は、前記本発明収納庫１０の開閉扉１２の庫外用吸入口１８ｃ及び庫内用吐出口１８ｄを省略し、省略した代わりに閉じた状態の開閉扉１２と収納庫本体１１の開口部１３との間に隙間Ｓを形成するようにし、庫外Ｏから隙間Ｓを経て庫内Ｉへ流入した空気の全てを開閉扉１２の送風路Ｘを介して庫外Ｏへ排出することで、換気のために庫内Ｉを通過する風量を増大させるようにしたことである。図６に示す符号の内、図２〜図５（第１の実施の形態）と同一のものは、同一の構成部材等を示す。
【００３８】
前記隙間Ｓは、開閉扉１２の庫内用吸引口１８ａより極力離れた箇所に設け、隙間Ｓから吸入口１８ａへ向かって庫内Ｉを通過する空気の距離を長くすることで、庫内Ｉを広範囲に換気できるようにしてある。又、本発明収納庫３０は、開閉扉１２と収納庫本体１１の開口部１３との間に隙間Ｓが形成されるので、例え壁際や部屋角隅に収納庫本体１１を配置して収納庫本体１１の側板１１ａ及び１１ｂ、天板１１ｃ、底板１１ｄや背板１１ｅが壁に覆われたとしても、隙間Ｓが塞がることがなく、自由に配置できる。なお、本発明収納庫３０は、風量調節具１９を調節することにより、前記換気の風量を変更することができる。
【００３９】
（第３の実施の形態）
図７は、第３の実施の形態の本発明収納庫４０を示すものであり、開閉扉１２が閉状態の側面断面図である。
【００４０】
本実施の形態に係る本発明収納庫４０が第１の実施の形態の本発明収納庫１０（図２〜図５参照）と大きく相違する点は、前記本発明収納庫１０（第１の実施の形態）の開閉扉１２の庫外用吸入口１８ｃ及び庫内用吐出口１８ｄを省略し、省略した代わりに開閉扉１２に給気路Ｙを設けて、給気路Ｙを送風路Ｘと分離し、庫外Ｏから給気路Ｙを経て庫内Ｉへ流入した空気の全てを開閉扉１２の送風路Ｘを介して庫外Ｏへ排出することで、換気のために庫内Ｉを通過する風量を増大させるようにしたことである。図７に示す符号の内、図２〜図５（第１の実施の形態）と同一のものは、同一の構成部材等を示す。
【００４１】
上記送風路Ｘと給気路Ｙとは、開閉扉１２に新たに設けた仕切り４１によって分け隔てられており、共に開閉扉４１の内部の空洞スペースに形成されている。給気路Ｙを設ける位置は、庫内用吸引口１８ａより極力離れた箇所とし、給気路Ｙから吸入口１８ａへ向かって庫内Ｉを通過する空気の距離を長くすることで、庫内Ｉを広範囲に換気できるようにしてある。又、本発明収納庫４０は、開閉扉１２に給気路Ｙが形成されるので、例え壁際や部屋角隅に収納庫本体１１を配置して収納庫本体１１の側板１１ａ及び１１ｂ、天板１１ｃ、底板１１ｄや背板１１ｅが壁に覆われたとしても、給気路Ｙが塞がることがなく、自由に配置できる。なお、本発明収納庫４０は、風量調節具１９を調節することにより、前記換気の風量を変更することができる。
【００４２】
（第４の実施の形態）
図８は、第４の実施の形態の本発明収納庫５０を示すものであり、開閉扉１２が閉状態の側面断面図である。
【００４３】
本実施の形態に係る本発明収納庫５０が第１の実施の形態の本発明収納庫１０（図２〜図５参照）と大きく相違する点は、前記本発明収納庫１０（第１の実施の形態）の開閉扉１２の庫外用吸入口１８ｃ及び庫内用吐出口１８ｄを省略し、省略した代わりに収納庫本体１１に給気路Ｙを設けて、給気路Ｙを送風路Ｘと分離し、庫外Ｏから給気路Ｙを経て庫内Ｉへ流入した空気の全てを開閉扉１２の送風路Ｘを介して庫外Ｏへ排出することで、換気のために庫内Ｉを通過する風量を増大させるようにしたことである。図７に示す符号の内、図２〜図５（第１の実施の形態）と同一のものは、同一の構成部材等を示す。
【００４４】
上記給気路Ｙを設ける位置は、庫内用吸引口１８ａより極力離れた箇所とし、給気路Ｙから吸入口１８ａへ向かって庫内Ｉを通過する空気の距離を長くすることで、庫内Ｉを広範囲に換気できるようにしてある。
【００４５】
（第５の実施の形態）
図９は、本発明収納庫６０の第５の実施の形態を示すものであり、開状態にある本発明収納庫６０の側面断面図である。
【００４６】
本実施の形態に係る本発明収納庫６０が第１の実施の形態の片開きタイプの収納庫に適用した本発明収納庫１０（図２〜図５参照）と大きく相違する点は、引出しタイプの収納庫７Ｃ−１，７Ｃ−２に適用し引出し６１の前板６２に、送風路Ｘ、送風機１５及び環境悪化物質吸着装置１６を備えたことである。前板６２に示す符号の内、図２〜図５（第１の実施の形態）と同一のものは、同一の構成部材等を示す。
【００４７】
上記引出し６１は、収納庫本体６３から手前にスライドして移動するようになっており、前板６２の奥側が収納部となっている。前板６２は、前記本発明収納庫１０（第１の実施の形態）の開閉扉１２と実質的に同一の構造となる。
【００４８】
なお、前板６２として前記本発明収納庫３０（第２の実施の形態）の開閉扉１２と実質的に同一の構造を採用するときには、前板６２と収納庫本体６３の開口部１３との間に隙間Ｓを形成するようにする。
【００４９】
また、前板６２として前記本発明収納庫４０（第３の実施の形態）の開閉扉１２と実質的に同一の構造を採用することもできる。
【００５０】
更に、前板６２として前記本発明収納庫５０（第４の実施の形態）の開閉扉１２と実質的に同一の構造を採用するときには、収納庫本体６３に給気路Ｙを設けるとよい。
【図面の簡単な説明】
【００５１】
【図１】実施形態の異なる複数個の本発明収納庫を備えた厨房家具１を示す斜視図である。
【図２】第１の実施の形態の本発明収納庫１０を示すものであり、本発明収納庫１０の斜視図である。
【図３】第１の実施の形態の本発明収納庫１０を示すものであり、本発明収納庫１０の開閉扉１２の正面断面図である。
【図４】第１の実施の形態の本発明収納庫１０を示すものであり、開閉扉１２が閉状態の側面断面図である。
【図５】第１の実施の形態の本発明収納庫１０を示すものであり、開閉扉１２に備えた風量調節具１９の背面側を示す正面図である。
【図６】第２の実施の形態の本発明収納庫３０を示すものであり、開閉扉１２が閉状態の側面断面図である。
【図７】第３の実施の形態の本発明収納庫４０を示すものであり、開閉扉１２が閉状態の側面断面図である。
【図８】第４の実施の形態の本発明収納庫５０を示すものであり、開閉扉１２が閉状態の側面断面図である。
【図９】第５の実施の形態の本発明収納庫６０を示すものであり、本発明収納庫６０の側面断面図である。
【符号の説明】
【００５２】
１…厨房家具  ２…ワークトップ  ３…キャビネット  ４…シンク  ５…加熱調理器  ６…本発明収納庫  ７…据え置き方式の収納庫  ７Ａ…片開きタイプの収納庫  ７Ｂ…両開きタイプの収納庫  ７Ｃ…引出しタイプの収納庫  ８…吊り方式の収納庫  ８Ａ…片開きタイプの収納庫  ８Ｂ…両開きタイプの収納庫  １０…本発明収納庫  １１…収納庫本体  １１ａ…左側板  １１ｂ…右側板  １１ｃ…天板  １１ｄ…底板  １１ｅ…背板  １２…開閉扉  １２ａ…左側板  １２ｂ…右側板  １２ｃ…上板  １２ｄ…下板  １２ｅ…前板  １２ｆ…背板  １３…開口部  １４…蝶番  １５…送風機  １５ａ…モータ  １５ｂ…回転羽根  １５ｃ…ケーシング  １６…環境悪化物質用吸着装置  １７…取手  １８ａ…庫内用吸入口  １８ｂ…庫外用吐出口  １８ｃ…庫外用吸入口  １８ｄ…庫内用吐出口  １９…風量調節具  １９ａ…突出部  ２０…挿入口  ２１…仕切板  ３０…本発明収納庫  ４０…本発明収納庫  ５０…本発明収納庫  ６０…本発明収納庫  ６１…引出し  ６２…前板  ６３…収納庫本体  Ｘ…送風路  Ｙ…給気路  Ｉ…庫内  Ｏ…庫外  Ｓ…隙間
【図１】
0004636470.tif 000002
【図２】
0004636470.tif 000003
【図３】
0004636470.tif 000004
【図４】
0004636470.tif 000005
【図５】
0004636470.tif 000006
【図６】
0004636470.tif 000007
【図７】
0004636470.tif 000008
【図８】
0004636470.tif 000009
【図９】
0004636470.tif 000010